(57)【要約】【課題】２つのカードスロットの挿入口を１つの開口として形成したとしても、カードスロットにメモリカードを挿抜する際の操作性が損なわれないようにする。【解決手段】ＳＤスロット４２、ＣＦスロット５２にはそれぞれ、ＳＤカード４１、ＣＦカード５１が挿抜自在である。ＣＦスロット５２は板状部材である保持板金５３によって保持される。ＳＤスロット４２とＣＦスロット５２とは、それぞれのメモリカードの挿抜方向を同じくして保持板金５３を挟んで保持板金５３の厚み方向に並設されている。保持板金５３のうち、ＣＦカード５１の挿抜方向における挿入口側（外側）の部分がＳＤスロット４２の側（後側）にヘミング曲げ加工により折り返され、これにより、保持板金５３の挿入口側の縁部５３ａにＲ曲面形状が生じている。【選択図】図３
2013012131.tif 000002
【特許請求の範囲】
【請求項１】
第１のメモリカードを挿抜自在に装着可能な第１の装着部と、
第２のメモリカードを挿抜自在に装着可能な第２の装着部と、
金属材料で形成され、前記第２の装着部を保持する板状部材とを有し、
前記第１の装着部と前記第２の装着部とは、それぞれのメモリカードの挿抜方向を同じくして前記板状部材を挟んで前記板状部材の厚み方向に並設され、
前記板状部材の前記挿抜方向における挿入口側の部分を前記第１の装着部の側に折り返すことを特徴とする電子機器。
【請求項２】
前記第１の装着部は、前記板状部材に対して前記板状部材の厚み方向に隣接する対向板部を有し、前記板状部材の前記第１の装着部の側に折り返された折り返し部と前記対向板部とは、前記板状部材の厚み方向にオーバーラップしていることを特徴とする請求項１記載の電子機器。
【請求項３】
前記対向板部の、前記挿抜方向における挿入口側の縁部は、前記板状部材の厚み方向から見て前記挿抜方向における奥側に窪んだ形状となっていて、且つ、前記折り返し部の先端縁部は、前記板状部材の厚み方向から見て前記挿抜方向における奥側に凸の形状となっており、前記窪んだ形状と前記凸の形状とは凹凸関係が対応していることを特徴とする請求項２記載の電子機器。
【請求項４】
前記板状部材の前記挿抜方向における前記挿入口側の部分の折り返しは、前記板状部材の厚み方向と前記挿抜方向とに直交する方向における全領域に亘って適用され、前記折り返された部分の前記直交する方向における両端部分が、外装部材によって覆われた状態で、前記第１のメモリカード及び前記第２のメモリカードの挿抜が可能であることを特徴とする請求項２または３に記載の電子機器。
【請求項５】
前記板状部材の厚み方向における前記板状部材と前記第１の装着部との間に熱伝導性シートが挟まれていることを特徴とする請求項１〜４のいずれか１項に記載の電子機器。
【発明の詳細な説明】
【技術分野】
【０００１】
本発明は、メモリカードが挿抜される電子機器に関する。
【背景技術】
【０００２】
従来、記録媒体であるメモリカードを挿抜する構造を有し、装着されたメモリカードに対してデータを読み書き等する電子機器が知られている。例えば、固体撮像素子を有するデジタル一眼レフカメラのような電子機器においては、メモリカードを装着する装着部としてカードスロットが設けられる。
【０００３】
近年、デジタル一眼レフカメラにおいて有効記録画素数の増加したものや動画記録が可能なものが普及してきていることから、複数のメモリカードの装填が可能なデジタルカメラが提案されている（特許文献１参照）。
【先行技術文献】
【特許文献】
【０００４】
【特許文献１】特開平１１−１４６３２８号公報
【発明の概要】
【発明が解決しようとする課題】
【０００５】
特許文献１に開示されているように、２つのカードスロットの挿入口は、蓋体で覆われる部分に２つ並べて配置するのが一般的である。カメラの小型化のためには、２つのカードスロットを接近させ、挿入口を１つの大きな開口で形成すればよい。しかし、この場合には、カードスロットにメモリカードを挿抜する際の操作性が損なわれる。
【０００６】
本発明の目的は、２つのカードスロットの挿入口を１つの開口として形成したとしても、カードスロットにメモリカードを挿抜する際の操作性が損なわれない電子機器を提供することにある。
【課題を解決するための手段】
【０００７】
上記目的を達成するために本発明は、第１のメモリカードを挿抜自在に装着可能な第１の装着部と、第２のメモリカードを挿抜自在に装着可能な第２の装着部と、金属材料で形成され、前記第２の装着部を保持する板状部材とを有し、前記第１の装着部と前記第２の装着部とは、それぞれのメモリカードの挿抜方向を同じくして前記板状部材を挟んで前記板状部材の厚み方向に並設され、前記板状部材の前記挿抜方向における挿入口側の部分を前記第１の装着部の側に折り返すことを特徴とする。
【発明の効果】
【０００８】
本発明によれば、２つのカードスロットの挿入口を１つの開口として形成したとしても、カードスロットにメモリカードを挿抜する際の操作性が損なわれない。
【図面の簡単な説明】
【０００９】
【図１】本発明の一実施の形態に係る電子機器の斜視図である。
【図２】保護カバーを開けた状態のカメラの部分側面図である。
【図３】図２のＡ−Ａ線に沿う断面図である。
【図４】ＳＤユニットの斜視図である。
【図５】ＣＦユニットの斜視図である。
【図６】ＳＤユニット及びＣＦユニットが不図示のメインシャーシに取り付けられた状態を示す斜視図である。
【図７】保持板金を、厚み方向における後側から見た図、Ｂ−Ｂ線に沿う断面図である。
【図８】保護カバーを開けた状態のカメラの部分側面図である。
【発明を実施するための形態】
【００１０】
以下、本発明の実施の形態を図面を参照して説明する。
【００１１】
図１は、本発明の一実施の形態電子機器としてのデジタル一眼レフカメラの斜視図である。このデジタル一眼レフカメラは、記録媒体（以下、「メモリカード」と称する）を２枚装着することができる。このカメラ１は、外装部材の一部として側面カバー２を有し、側面カバー２に対してメモリカード用の保護カバー３が回動可能に取り付けられている。被写体側とは反対側である操作者側に液晶モニタ１１が設けられる。
【００１２】
図２は、保護カバー３を開けた状態のカメラ１の部分側面図である。この図においては、わかりやすくするために保護カバー３の図示を省略している。
【００１３】
カメラ１には、第１の装着部であるＳＤスロット４２及び第２の装着部であるＣＦスロット５２が設けられる。ＳＤスロット４２には、第１のメモリカードであるＳＤメモリカード（以下、「ＳＤカード」と称する）４１を挿抜自在に装着可能である。ＣＦスロット５２には、第２のメモリカードであるＣＦカード５１が挿抜自在に装着可能である。
【００１４】
図示はしないが、ＳＤカード４１は片面に信号端子が設けられ、ＣＦカード５１は、挿抜方向の奥側の端面（挿入方向と直交する面）に信号端子が設けられている。ＳＤスロット４２、ＣＦスロット５２には、各信号端子に対応する位置に接触端子が設けられている。
【００１５】
詳細は後述するが、ＳＤスロット４２とＣＦスロット５２とは、それぞれのメモリカードの挿抜方向が同じになるように並べて配置されている。ＳＤスロット４２とＣＦスロット５２との間には、板状部材である保持板金５３が保持板金５３の厚み方向に配置されている。ＳＤスロット４２とＣＦスロット５２は保持板金５３の厚み方向に並設される。図２は、各メモリカードの挿抜方向の挿入側から見た図でもある。各メモリカードの挿抜方向は、カメラ１において左右方向である。
【００１６】
図３は、図２のＡ−Ａ線に沿う断面図である。図４は、ＳＤユニットの斜視図である。図５（ａ）、（ｂ）は、ＣＦユニットの斜視図である。メモリカードの挿抜方向において、図２においては紙面手前側、図３においては下側に、ＳＤスロット４２及びＣＦスロット５２の各挿入口が位置する。図２における紙面奥側、図３における上側が、メモリカードの挿抜方向における奥側となる。
【００１７】
図４に示すように、配線基板４３にＳＤスロット４２が実装されてＳＤユニット４０が構成される。一方、図５（ａ）、（ｂ）に示すように、ＣＦスロット５２は保持板金５３によって保持される。ＣＦスロット５２は、ビス６１、６２により保持板金５３に取り付けられる。ＣＦスロット５２の下部には、ＣＦカード５１を取り出す際に押すためのＣＦカードイジェクトスイッチ５４が設けられる。これらをまとめてＣＦユニット５０と呼ぶ。
【００１８】
図６は、ＳＤユニット４０及びＣＦユニット５０が不図示のメインシャーシに取り付けられた状態を示す斜視図である。本実施の形態においては、ＳＤユニット４０とＣＦユニット５０とをカメラ１の本体内部のメインシャーシに取り付けているが、それ以外の部材に取り付けても構わない。図６（ｂ）では、わかりやすくするために、ＳＤカード４１及びＣＦカード５１を装着した状態を示している。
【００１９】
ＳＤユニット４０とＣＦユニット５０とは、メインシャーシに対してビス６３〜６６によって共締めされる。ＳＤユニット４０に対して、カメラ１でいう前側（被写体側）にＣＦユニット５０が組み付けられる。ＳＤユニット４０とＣＦユニット５０とがメインシャーシに取り付けられ、側面カバー２が取り付けられると、図２に示した状態となる。
【００２０】
図７（ａ）は、保持板金５３を、厚み方向における後側（液晶モニタ１１側）から見た図であり、ＳＤスロット４２を重ねて見ている。図７（ｂ）は、図７（ａ）のＢ−Ｂ線に沿う断面図である。
【００２１】
図３、図４に示すように、ＳＤスロット４２は、配線基板４３に対して、カメラ１でいう前側（被写体側）に固着される。ＳＤスロット４２は板金部品で構成され、ＳＤスロット４２の一部を構成する対向板部４２１が、配線基板４３と平行となっている。対向板部４２１のうち、ＳＤカード４１の挿抜方向における挿入口側（外側でありＳＤカード４１が挿入される側）の縁部４２１ａは、保持板金５３の厚み方向から見て、カード挿抜方向における奥側に窪んだ曲面形状となっている（図４、図７（ａ）参照）。この縁部４２１ａの凹形状は安全上の配慮から設けられるもので、ＳＤカード４１の挿入時の引っ掛かり、破損、手で触れた時の安全性が確保される。
【００２２】
図３、図５に示すように、ＣＦユニット５０において、ＣＦスロット５２は保持板金５３に対して、カメラ１でいう前側（被写体側）に固着される。保持板金５３は金属材料でなり、保持板金５３のうち、ＣＦカード５１の挿抜方向における挿入口側（外側）の部分がＳＤスロット４２の側（後側）にヘミング曲げ加工により折り返されて折り返し部５３１となっている（図５（ｂ）参照）。これにより、保持板金５３のうち、ＣＦカード５１の挿抜方向における挿入口側の縁部５３ａにＲ曲面形状が生じている（図２、図３、図５（ｂ））。
【００２３】
また、折り返された折り返し部５３１の先端縁部５３１ａは、保持板金５３の厚み方向から見て、カード挿抜方向における奥側に凸の曲面形状となっている（図５（ｂ）、図７（ａ））。従って、保持板金５３の厚み方向から見て、対向板部４２１の縁部４２１ａにおける窪んだ曲面形状と、折り返し部５３１の先端縁部５３１ａにおける凸の曲面形状とは凹凸関係が対応している。しかも両者は、ＳＤユニット４０とＣＦユニット５０との組み付け状態において近接対向する（図７（ａ））。
【００２４】
図３に示すように、ＳＤユニット４０とＣＦユニット５０との組み付け状態において、ＳＤスロット４２とＣＦスロット５２とは、保持板金５３を挟んで保持板金５３の厚み方向（カメラ１の前後方向）に並ぶ。保持板金５３は対向板部４２１と平行になる。また、保持板金５３の厚み方向における、ＳＤスロット４２の対向板部４２１と保持板金５３との間には、弾性のあるグラファイトシート等の熱伝導性シート７１が挟み込まれている。熱伝導性シート７１はカメラ１の本体内部のメインシャーシに接続され、ＳＤスロット４２およびＣＦスロット５２で発生する熱をメインシャーシに伝達する。
【００２５】
従って、カメラ１でいう後側（液晶モニタ１１側）から順に、配線基板４３、ＳＤスロット４２、熱伝導性シート７１、保持板金５３、ＣＦスロット５２が配置される。対向板部４２１は、熱伝導性シート７１を挟んで保持板金５３に対して保持板金５３の厚み方向に隣接する。ここで、対向板部４２１の縁部４２１ａと折り返し部５３１の先端縁部５３１ａとの凹凸形状が対応しているので、対向板部４２１と折り返し部５３１とは、図７（ｂ）に示すように、Ｚ方向（保持板金５３の厚み方向）においてオーバーラップしている。Ｚ方向のオーバーラップＳ１を持たせることが可能となるので、電子機器のＺ方向の小型化、薄型化に有利である。
【００２６】
本実施の形態では、図６に示すように、ＳＤスロット４２とＣＦスロット５２との間に、上記の特許文献２のような配線基板が存在しないので、仕切り部２１は必ずしも必要で無い。そのため、仕切り部２１に相当する機能部を側面カバー２によって構成していない。ＳＤスロット４２とＣＦスロット５２との間には、図３、図６に示すように、熱伝導性シート７１を除けば保持板金５３しか存在しない。
【００２７】
しかしながら、板金部品の端部は通常エッジとなるので、メモリカード挿入時のメモリカード破損防止や手で触れた時の安全性確保については考慮しておく必要がある。そこで、本実施の形態においては、保護カバー３を開けた時に外観に露出する保持板金５３の縁部５３ａをヘミング曲げによって形成している。これにより、エッジを露出させない構成にできるので、メモリカードの挿入時の破損の防止、手で触れた時の安全性の確保が可能となる。
【００２８】
ところで、ヘミング曲げ加工による保持板金５３の折り返しは、上下方向（保持板金５３の厚み方向とカードの挿抜方向とに直交する方向）における全領域に亘って適用されている（図５（ｂ））。図８は、保護カバー３を開けた状態のカメラ１の部分側面図である。図８に示すように、保持板金５３のうち、折り返された部分の上下方向における両端部分５３ｂにはエッジが残ることになる。
【００２９】
そこで、本実施の形態では、図８に示すように、外装部材であるカバー２２及び側面カバー２の一部２ａによって両端部分５３ｂが覆われるようにする。なおかつ、両端部分５３ｂが覆われたた状態でもＳＤスロット４２及びＣＦスロット５２が開口しており、ＳＤカード４１及びＣＦカード５１の挿抜が可能である。両端部分５３ｂが保護され、手で触れることができないので、安全性が確保され外観向上にも寄与する。なお、両端部分５３ｂを覆う外装部材は上記の例示に限定されず、メモリカードの挿抜が可能な状態で覆うものであればよい。
【００３０】
ところで、ＳＤカード４１及びＣＦカード５１の側面カバー２からの各突出量については、それぞれ図３に示す突出量ＳＨ、突出量ＣＨであり、同じ突出量となっている。これは、ＳＤカード４１及びＣＦカード５１の挿抜の良好な操作性を考慮したものである。
【００３１】
例えば、ＳＤカード４１の突出量ＳＨがＣＦカード５１の突出量ＣＨよりも大きいとすると、ＳＤカード４１が装着された状態において、ＣＦカード５１を装着する際にＳＤカード４１を不用意に押してしまうおそれがある。ＳＤカード４１の取り出しは、一般的にプッシュ方式で、装着された状態からさらに押し込むことにより取り出すことが可能になる構成であるため、意図せずにＳＤカード４１が外れてしまうことになる。逆に、ＣＦカード５１の突出量ＣＨがＳＤカード４１の突出量ＳＨよりも大きいとすると、ＣＦカード５１自体が邪魔になり、上記の方式によるＳＤカード４１の取り出し操作性を低下させてしまうからである。
【００３２】
本実施の形態では、ＳＤユニット４０とＣＦユニット５０とはメインシャーシに共締めされ、両者の位置が直接決まる構成となっている。そのため、ＳＤカード４１とＣＦカード５１とのクリアランスを小さく設定することが可能である。本実施の形態では、保持板金５３とＳＤカード４１とのクリアランスを０．２ｍｍ、保持板金５３とＣＦカード５１とのクリアランスを０．４ｍｍまで小さくすることが可能となった。
【００３３】
一方、ヘミング曲げ加工によって縁部５３ａの強度が大きくなっているので、保持板金５３の板厚は０．３〜０．５ｍｍ程度あれば十分である。本実施の形態では、例えば保持板金５３の材質をステンレスとし、板厚を０．４ｍｍとしている。ＳＤカード４１とＣＦカード５１との必要なクリアランスは、保持板金５３の板厚によってほぼ決まる。上記のような構成により、従来の構成に対して、Ｚ方向の厚みを小さくすることが可能である。
【００３４】
さらに近年、メモリカードの読み出し速度が高速化していることから、発生する放射ノイズの懸念が高まっている。しかし、本実施の形態では、保持板金５３がＳＤカード４１とＣＦカード５１との間に位置するので、放射ノイズ対策（ノイズシールド）としても有効である。
【００３５】
また、ＳＤスロット４２に装着することで、記録した写真データや動画データを無線ＬＡＮによるワイヤレス通信でパソコン等に転送することのできる無線ユニットがある。しかし、この無線ユニットは、無線通信時に発熱することが課題となっている。ところが本実施の形態では、ＳＤスロット４２と保持板金５３との間に熱伝導性シート７１を挟み込んでいるので、無線ユニットの熱をメインシャーシに伝える効果が期待できる。さらに、前述したように、保持板金５３は不図示のメインシャーシにビス締めされるため、ヒートシンクとしても有効である。
【００３６】
本実施の形態によれば、メモリカードの誤挿入を防止する上で、ＳＤスロット４２とＣＦスロット５２との間に側面カバー２によって仕切り部を設けるのではなく、ＣＦスロット５２を保持する保持板金５３を設けて仕切り板としての機能を持たせた。これにより、両スロットの位置関係が直接に決まるので、位置誤差が小さくなり、ひいては電子機器の前後方向の厚みを薄くでき、機器の省スペースを図ることができる。従って、２つのカードスロットの挿入口を１つの開口として形成したとしても、カードスロットにメモリカードを挿抜する際の操作性が損なわれない。しかも、各カードが挿入される挿入口側である保持板金５３の縁部５３ａがＲ曲面形状に形成されているので、メモリカードの挿入時の保護及び誤挿入の防止が確保される。外観も向上する。
【００３７】
また、対向板部４２１と折り返し部５３１とは保持板金５３の厚み向にオーバーラップしているので、機器を効率良く薄型化することができる。
【００３８】
また、保持板金５３の縁部５３ａのＲ曲面形状は、ヘミング曲げ加工によって形成されるので、簡単な加工にてＲ曲面形状の形成が可能であると共に、縁部５３ａの補強効果も期待できる。
【００３９】
さらに、対向板部４２１の縁部４２１ａと折り返し部５３１の先端縁部５３１ａとは、凹凸形状が対応していて近接対向するので、ＳＤカード４１の挿入を安全にし、且つ挿入しやすくすると共に、挿入口付近の強度を効率よく向上させることができる。
【００４０】
ＳＤスロット４２とＣＦスロット５２との間に挟まれる板状部材としての保持板金５３は、ＣＦスロット５２を保持するものであったが、ＳＤスロット４２を保持するものであってもよい。
【００４１】
本発明のメモリカードのスロットの構造が適用される電子機器としては、デジタル一眼レフカメラに限らない。メモリカードのスロットが複数設けられる各種の電子機器に応用が可能である。異なる種類のメモリカードを並列的に装着する電子機器に好適である。特に、信号端子が設けられている位置が異なる複数のメモリカードを装着する電子機器に好適である。
【００４２】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４３】
２  側面カバー
４１  ＳＤカード
４２  ＳＤスロット
５１  ＣＦカード
５２  ＣＦスロット
５３  保持板金
４２１  対向板部
５３１  折り返し部
５３ａ  縁部
【図１】
2013012131.tif 000003
【図２】
2013012131.tif 000004
【図３】
2013012131.tif 000005
【図４】
2013012131.tif 000006
【図５】
2013012131.tif 000007
【図６】
2013012131.tif 000008
【図７】
2013012131.tif 000009
【図８】
2013012131.tif 000010